(57)【要約】【課題】人目をより効果的に惹くことができる装身具、および、携行品を探しやすくすることができる装飾具を提供する。【解決手段】ピアス１０は、魚釣り用の擬似餌からなる本体２０と、本体２０を耳たぶに吊り下げるためのピアスリング１２と、を含む。【選択図】図１
0003222448.tif 000002
【実用新案登録請求の範囲】
【請求項１】
着用者に取り付けられる装身具であって、
魚釣り用の擬似餌からなる本体と、
前記本体を吊り下げるための留具と、
を含むことを特徴とする装身具。
【請求項２】
携行品に取り付ける装飾具であって、
魚釣り用の擬似餌からなる本体と、
前記本体を前記携行品に取り付けるための留具と、
を含み、
前記本体は、前記留具を介して前記携行品に連結されることを特徴とする装飾具。
【考案の詳細な説明】
【技術分野】
【０００１】
本考案は、装身具や装飾具に関する。
【背景技術】
【０００２】
イヤリングやピアスなどの装身具は、着用者のファッション性や美しさなどをアピールすることを目的に身に着けるファッションアイテムである。
【０００３】
例えば、特許文献１には、留具に設けられた棒状突出部の先端に装身具用鎖の端環が取り付けられてなるイヤリング（装身具）が開示されている。
【先行技術文献】
【特許文献】
【０００４】
【特許文献１】実用新案登録第３２０９０６３号公報
【考案の概要】
【考案が解決しようとする課題】
【０００５】
ところで、このような装身具には、例えば、着用者と相対する人や、その周辺に居る人などの視線を装身具に誘導し、着用者の顔を引き立てて美しく見せるなどの役割もある。そのため、より目立ち、人目を惹くことができる装身具が求められている。
【０００６】
しかしながら、上記特許文献１に記載の装身具では、装身具用鎖のような比較的小振りなものしか取り付けることができないため、効果的に人目を惹くことができないという問題がある。
【０００７】
また、キーホルダ等の、例えば、外出時に携行する携行品は、着衣のポケットなどに収納して携行するため比較的コンパクトな形態のものが多い。このため、外出する際などに携行品の在処が定かでない場合には携行品を探すのに思いがけず手間を要する場合がある。
【０００８】
本考案は、人目をより効果的に惹くことができる装身具、および、携行品を探しやすくすることができる装飾具を提供することを目的とする。
【課題を解決するための手段】
【０００９】
本考案の装身具は、着用者に取り付けられる装身具であって、魚釣り用の擬似餌からなる本体と、本体を吊り下げるための留具と、を含むことを特徴とするものである。
【００１０】
本考案の装飾具は、携行品に取り付ける装飾具であって、魚釣り用の擬似餌からなる本体と、本体を携行品に取り付けるための留具と、を含み、本体は、留具を介して携行品に連結されることを特徴とするものである。
【考案の効果】
【００１１】
本考案の装身具によれば、留具を介して魚釣り用の擬似餌からなる本体を着用者に取り付けることができる。ここで、魚釣り用の擬似餌は、魚の食いつきをよくするために目立つデザインで構成されているので人目も惹きやすい。このため、人目をより効果的に惹くことが可能となる。
【００１２】
本考案の装飾具によれば、留具を介して魚釣り用の擬似餌からなる本体を携行品に連結することができる。ここで、魚釣り用の擬似餌は、魚の食いつきをよくするために目立つデザインで構成されている。このため、携行品を探す際に目立つので携行品を探す手間を減らすことができる。
【図面の簡単な説明】
【００１３】
【図１】本考案の第１実施形態であるピアスの構成を示す図である。
【図２】図２（ａ）は、図1に含まれるピアスリングが閉じた状態を示す図である。図２（ｂ）は、図1に含まれるピアスリングが開いた状態を示す図である。
【図３】第１実施形態の変形例であるピアスの構成を示す図である。
【考案を実施するための形態】
【００１４】
以下、本考案の第１実施形態であるピアス（装身具）１０について、図面を参照しながら説明する。図１に示すように、ピアス１０は、耳たぶに穿設されたピアスホール（不図示）に挿通されるピアスリング（留具）１２と、ピアスリング１２に係合される連結用リング１４と、魚釣り用の擬似餌（ルアー）からなる本体２０とを含む。
【００１５】
本実施形態では、耳たぶに設けられたピアスホール（不図示）にピアスリング１２を挿通させているが、耳たぶ以外の耳介（耳殻）部分にピアスリング１２を取り付けるようにしてもよいし、着用者の鼻や、へそ、瞼、乳頭、性器、その他の部位にピアスリング１２を取り付けるようにしてもよい。
【００１６】
このピアスリング１２は、図２（ａ）および図２（ｂ）に示すように第１リング１２ａと、第１リング１２ａに隣接するよう設けられた小径の第２リング１２ｂとから構成される。第１リング１２ａは、図２（ｂ）に示すように、開閉可能に構成されており、開いた状態でピアスホール（不図示）に挿通可能に構成されている。一方、第２リング１２ｂには、連結用リング１４（図１参照）が挿通されている。この連結用リング１４は、表面に細かな凹凸のある銀色のリングであり、リングの一部が切断されている。このため、連結用リング１４を捩じることにより、上記ピアスリング１２や後述する中間リングを着脱可能に係合させることができる。
【００１７】
本体２０は、魚を模した擬似餌であり、前端側に釣り糸を結び付けるためのリング部２２が設けられている。そして、この前端側のリング部２２には、釣り糸ではなく、中間リング２４が連結されており、この中間リング２４を介して上述した連結用リング１４に本体２０が連結される。
【００１８】
また、本体２０の下側部分には釣り針を連結するためのリング部２６ａ，２６ｂが各々設けられている。各リング部２６ａ，２６ｂには、釣り針ではなく、薄いゴム素材からなる帯状の飾り３０ａ，３０ｂが各々接続用リング２７ａ，２７ｂを介して連結されている。
【００１９】
本考案のピアス１０によれば、ピアスリング１２を介して魚釣り用の擬似餌からなる本体２０を耳たぶに吊り下げることができる。ここで、魚釣り用の擬似餌は、魚の食いつきをよくするために目立つデザインで構成されているので人目も惹きやすい。このため、人目をより効果的に惹くことが可能となる。
【００２０】
図３は、上記ピアス１０の変形例であるピアス４０の構成を示す図である。図３に示すピアス４０は、連結用リング１４に他の擬似餌からなる本体５０が接続用リング５２を介して連結されている点で上記第１実施形態のピアス１０と構成が異なり、他の部分についてはピアス１０と同一の構成を備える。この本体５０のように、魚を模した形態ではない、例えば、毛ばりなど虫を模した擬似餌を本体として用いてもよい。また、このように、連結用リング１４を介して複数の擬似餌を連結するようにしてもよい。
【００２１】
なお、本体として用いる擬似餌に釣り針が取り付けられている場合には、同釣り針を本体から取り外しておいてもよいし、着用時に釣り針が引っ掛からないように保護材などで釣り針を被覆する（包むとも表現できる）ようにしてもよい。
【００２２】
上記第１実施形態では、ピアス１０を例に挙げて説明しているが、例えば、イヤリングや、ネックレス、ブレスレットなどの装身具に本考案を適用してもよい。
【００２３】
また、上記第１実施形態のピアス１０では、ピアスリング１２を留具として用いる例を挙げて説明しているが、ピアスリング１２の代わりに釣り針を留具として用いてもよい。この場合には、釣り針を加工することによって釣り針の針先を丸める（針先の尖りを丸めるとも表現できる）とともに、耳たぶのピアスホール（不図示）などに挿通するときに引っ掛からないように釣り針の返し部分を取り除くように加工しておくのが好ましい。
【００２４】
続いて、本考案の第２実施形態であるアクセサリ（装飾具）６０の構成について説明する。以下の説明において、上記第１実施形態のピアス１０と構成が共通する部分については適宜説明を省略し、構成が異なる部分についてのみ説明を行う。
【００２５】
アクセサリ６０は、ピアスリング１２（図１および図３参照）を備えていない点を除き、図１に示すピアス１０と同一の構成を備える。そして、連結用リング１４が、キーホルダなどの携行品（不図示）に設けられたリング等の連結部材に係合された状態で使用される。なお、携行品には、キーホルダの他、携帯電話、スマートフォン、バッグ、簪やカチューシャなどの髪飾りも含まれる。
【００２６】
本考案のアクセサリ６０によれば、連結用リング１４を介して魚釣り用の擬似餌からなる本体２０を携行品に連結することができる。ここで、魚釣り用の擬似餌は、魚の食いつきをよくするために目立つデザインで構成されている。このため、携行品を探す際、同携行品に取り付けられたアクセサリ６０が目立つので携行品を見つけやすく携行品を探す手間を減らすことができる。
【００２７】
本考案は、その趣旨を逸脱しない範囲で当業者の知識に基づいて種々なる改良、修正、又は変形を加えた態様でも実施できる。また、同一の作用又は効果が生じる範囲内で、何れかの考案特定事項を他の技術に置換した形態で実施しても良い。
【符号の説明】
【００２８】
１０，４０    ピアス（装身具）
１２    ピアスリング（留具）
１２ａ    第１リング
１２ｂ    第２リング
１４    連結用リング
２０，５０    本体
６０    アクセサリ（装飾具）
【図１】
0003222448.tif 000003
【図２】
0003222448.tif 000004
【図３】
0003222448.tif 000005